(57)【要約】【課題】複数の楽曲を聞くことができ、安価なオルゴール玩具。【解決手段】以下の要件を備えたことを特徴とする。（イ）本体１と本体１に着脱されるディスク２とから構成されること（ロ）ディスク２には曲番号を示す凹凸が形成されていること（ハ）本体１にはディスク２の回転装置１８と、回転したディスク２の凹凸を検出するセンサと、複数の曲の記憶手段と、上記センサからの検出された曲番号に応じた曲を上記記憶手段から選択して音発生装置から出力させる制御装置１５とが設けられていること【選択図】        図２
2004219956.tif 000002
【特許請求の範囲】
【請求項１】
以下の要件を備えたことを特徴とするオルゴール玩具。
（イ）本体と本体に着脱されるディスクとから構成されること
（ロ）ディスクには曲番号を示す凹凸が形成されていること
（ハ）本体にはディスクの回転装置と、回転したディスクの凹凸を検出するセンサと、複数の曲の記憶手段と、上記センサからの検出された曲番号に応じた曲を上記記憶手段から選択して音発生装置から出力させる制御装置とが設けられていること
【請求項２】
以下の要件を備えたことを特徴とする、請求項１記載のオルゴール玩具。
（イ）前記ディスクの表裏面には、中心からの距離が互いに異なる凹凸が形成されていること
（ロ）前記本体には上記ディスクの凹凸を検出するセンサと、前記曲番号と表面又は裏面の検出に応じて前記上記記憶手段から選択して音発生装置から出力させる制御装置とが設けられていること
【請求項３】
前記回転装置はハンドルと連係していることを特徴とする、請求項１記載のオルゴール玩具。
【発明の詳細な説明】
【０００１】
【発明の属する技術分野】
本発明はオルゴール玩具に関する。
【０００２】
【従来技術とその問題点】
一般に、オルゴールはゼンマイ仕掛けで自動的に楽曲を奏する装置であるが、通常の場合、楽曲は一曲だけであり、複雑な機構であるから、高価である。
【０００３】
【発明が解決しようとする課題】
本発明は上記問題点を解決し、複数の楽曲を聞くことができ、価格も安価にできるオルゴール玩具を提供することをその課題とする。
【０００４】
【課題を解決するための手段】
前記課題を解決するため、本発明に係るオルゴール玩具は、以下の要件を備えたことを特徴とする。
（イ）本体と本体に着脱されるディスクとから構成されること
（ロ）ディスクには曲番号を示す凹凸が形成されていること
（ハ）本体にはディスクの回転装置と、回転したディスクの凹凸を検出するセンサと、複数の曲の記憶手段と、上記センサからの検出された曲番号に応じた曲を上記記憶手段から選択して音発生装置から出力させる制御装置とが設けられていること
【０００５】
なお、前記オルゴール玩具は、さらに以下の要件を備えるようにしてもよい。
（イ）前記ディスクの表裏面には、中心からの距離が互いに異なる凹凸が形成されていること
（ロ）前記本体には上記ディスクの凹凸を検出するセンサと、前記曲番号と表面又は裏面の検出に応じて前記上記記憶手段から選択して音発生装置から出力させる制御装置とが設けられていること
【０００６】
さらに、前記回転装置はハンドルと連係させるのが好ましい。
【０００７】
【発明の実施の形態】
図１（ａ）（ｂ）は本発明に係るオルゴール玩具の本体の平面図及び正面図であり、図２は上記本体から蓋を外した状態のオルゴール玩具の斜視図である。
【０００８】
上記オルゴール玩具は本体１と本体１に着脱されるディスク２とから構成されている。本体１には蓋１ａが開閉自在に取付けられている。
【０００９】
図２に示されるように、上記ディスク２はＣＤ（コンパクトディスク２）と同様の模様が形成され、中心部には穴３が形成され、周縁部には曲番号を示す孔４が形成され、またディスク２の表裏面にはそれぞれ環状突縁５、６が形成されている。表面の環状突縁５と裏面の環状突縁６とでは中心からの距離が互いに異なっている。ディスク２にはいくつかの種類があり、種類毎に孔４の数が異なるように設定されている。また、ディスク２には、曲番号と表裏を示すもののほかに、ピン７とピンの取付孔８とを備えたディスク２Ａがある。
【００１０】
次に、図２及び図３に示されるように、本体１の上部にはディスク２の取付部９が形成されているとともに、回転したディスク２の孔４を検出する第１のセンサ１０と、環状突縁５、６を検出する第２のセンサ１１と、複数の曲の記憶手段（メモリ）１２と、上記第１及び第２のセンサ１０、１１からの検出された曲番号に応じた曲を上記記憶手段１２から選択して音発生装置（スピーカ）１４から出力させる制御装置（中央演算処理装置）１５とが設けられている。
【００１１】
また、ディスク取付部９の中心にはディスク２の中心の穴３に係合する回転凸部１６が形成されている。また、本体１には上記回転凸部１６を回転させる回転装置１８が設けられ、該回転装置１８はハンドル１９に連係し、ハンドル１９の回転により上記回転凸部１６を回転させるように構成されている。すなわち、図４（ａ）（ｂ）に示されるように、ハンドル１９の回転軸の先端にはウオーム歯車２３が固定され、該ウオーム歯車２３は平歯車２４を介して回転凸部１６と一体の歯車２５に噛合している。これにより、ハンドル１９を回転させると、その回転は回転凸部１６に伝達される。
【００１２】
さらに，上記本体１には、１オクターブ分の音階を感知する８個の第３のセンサ２０と、上記音階を記憶する記憶手段２１とが設けられ、上記制御装置１５は、第３のセンサ２０によって検出された音階の音を出力させるように設定されている。第３のセンサ２０はディスク２Ａの中心に近い方が高い音階と連結するようになっている。
【００１３】
なお、第１のセンサ１０は発光部２１と受光部２２とからなるフォトセンサ、第２のセンサ１１と第３のセンサ２０はリミットスイッチによって構成すればよい。第１のセンサ１０もリミットスイッチ等によって構成してもよく、このときはディスク２にも孔４ではなく、凸部を形成するようにする。
【００１４】
上記オルゴール玩具を使用するときは、適宜のディスク２を選択して図３のように本体１の上部に載置する。このとき、中心孔４を本体１の凸部１６に係合させる。そして、蓋１ａを閉めたのちハンドル１９を回して回転装置１８を作動させることにより回転凸部１６が回転し、ディスク２も回転する。図５に示すように、ディスク２が回転してその周縁部の孔４が第１のセンサ１０を通るときに、第１のセンサ１０の発光部から発せられた光は孔４を貫通して上部の受光部２２で反射して再び発光部２１に戻る。孔４の数だけ光の反射が行なわれるから、図３に示されるように、孔４を検出して制御装置１５に出力すると、制御装置１５では孔４の数によって曲の番号を読み取り、メモリ１２に蓄えられた曲の中から上記番号に対応する曲を選択してスピーカ１４から出力させる。これにより、あたかもハンドル１９を回すことによって曲が奏でられているような状況を作り出すことができる。
【００１５】
なお、ハンドル１９の回転を止めたときは、曲も終了するように設定すればよい。このとき、第１のセンサ１０と第２のセンサ１１は作動しないようにしておく。
【００１６】
ところで、上記ディスク２は、第２のセンサ１１によって表裏いずれかの面が検出される。同じ曲番号であっても、表裏面によって異なる曲が選択できるようにしておくことにより、１枚のディスク２によって２曲の曲をかけることができる。複数のディスク２があれば、その倍数の曲を聴くことができる。
【００１７】
次に、ピン取付孔８を有するディスク２Ａを使用するときは、ピン取付孔８に適宜のピン７を適当に取りつけておく。回転方向において前のピンと後のピンとの間隔が広ければ、長い音が出る。また、ピン７がディスク２の中心に近づくほど高い音がでるようになっている。そして、ディスク２を本体１の上にセットしてハンドル１９を回転してディスク２Ａを回す。ディスク２Ａが回転するとき、図５の右側のディスク２Ａに示されるように、下方に突出しているピン７は８個の第３のセンサ２０のいずれかのセンサに係合し、図３に示されるように、センサからの信号が制御装置１５に入ると、制御装置１５では記憶手段２６から上記センサに対応する音階を選択してスピーカ１４から出力させる。ピン７は次々に設定された間隔で設定された音階の第３のセンサ２０に検出されるから、設定されたオリジナルの曲が流れることになる。
【００１８】
上述のオルゴール玩具によれば、複数の楽曲を聞くことができ、構造も簡単なので安価に製造できる。
【００１９】
なお、上記ディスク２は蓋の内側空間内に収納するように構成するのが好ましい。
【００２０】
また、ディスク２の曲番号を示す孔４に代えて環状突縁、突出部でもよく、ディスク２の表裏の環状突縁５、６に代えて突起、凹部又は孔としてもよい。センサもこれらに対応するものを選択すればよい。
【００２１】
【発明の効果】
請求項１に係る発明によれば、回転装置を作動させることによりディスクが回転すると、ディスクの凹凸を第１のセンサが、センサによって凹凸を検出して制御装置に出力する。制御装置では凹凸の状態によって曲の番号を読み取り、記憶手段に蓄えられた曲の中から上記番号に対応する曲を選択して音発生装置から出力させる。これにより、曲が奏でられる。
【００２２】
請求項２に係る発明によれば、センサによってディスクの表裏面が検出され、さらに表裏面によって別個に設定された曲が音発生装置から出力される。
【００２３】
請求項３に係る発明によれば、ハンドルを回転させるとディスクが回転して、曲番号が検出され、曲が出力されるので、あたかもハンドルを回すことによって曲が奏でられているような状況を作り出すことができる。
【図面の簡単な説明】
【図１】（ａ）（ｂ）は本発明に係るオルゴール玩具の本体の平面図及び正面図
【図２】上記オルゴール玩具の斜視図
【図３】上記オルゴール玩具の要部のブロック図
【図４】（ａ）（ｂ）は回転装置の構造説明図
【図５】上記オルゴール玩具の縦断面図
【符号の説明】
１  本体
２  ディスク
４  孔
１０  第１のセンサ
１１  第２のセンサ
１２  記憶手段
１５  制御装置
【図１】
2004219956.tif 000003
【図２】
2004219956.tif 000004
【図３】
2004219956.tif 000005
【図４】
2004219956.tif 000006
【図５】
2004219956.tif 000007